(57)【特許請求の範囲】
【請求項１】
フレームと、
制御を受け、前記制御に応じて動作する制御動作機器と、
ケースを有し、前記ケースによって前記フレームに取り付けられ、第１の制御信号を受信し、受信した第１の制御信号に基づく第２の制御信号を出力する親機と、
前記親機の前記ケースとは異なる固有のケースを有し、前記親機の出力する前記第２の制御信号が入力され、前記第２の制御信号に基づいて前記制御動作機器を制御する子機とを備え、
前記子機は、前記子機の前記ケースによって前記フレームと前記親機の前記ケースとのいずれかに取り付けられ、
前記フレームには、スリットが設けられており、
前記親機は、前記スリットから露出して、前記第１の制御信号を受信するアンテナを備える照明装置。
【請求項２】
前記照明装置は、前記スリットから露出する前記アンテナの先端部を覆い光を反射する反射シートを備える請求項１に記載の照明装置。
【請求項３】
前記アンテナは、前記スリットの開口部を塞ぐ請求項１または請求項２に記載の照明装置。
【請求項４】
前記子機の前記ケースは、
前記親機の前記ケースに取り付けられている請求項１から請求項３のいずれか１項に記載の照明装置。
【請求項５】
前記親機の前記ケースは、
前記子機の前記ケースを取り付ける親機側取付部を有し、
前記子機の前記ケースは、
前記親機側取付部と係合する子機側取付部を有する
請求項４に記載の照明装置。
【請求項６】
前記子機の前記ケースは、
別の子機の前記子機側取付部と係合して前記別の子機の前記ケースを取り付ける連鎖取付部を有する請求項５に記載の照明装置。
【発明の詳細な説明】
【技術分野】
【０００１】
この発明は無線ユニットを備える照明装置に関する。
【背景技術】
【０００２】
長尺状の光源ユニットに、光源と電源ユニットを備え、この光源ユニットが着脱自在に器具本体に取り付けられる照明器具がある（例えば、特許文献１参照）。
【先行技術文献】
【特許文献】
【０００３】
【特許文献１】特許第５４８６７２７号公報
【発明の概要】
【発明が解決しようとする課題】
【０００４】
器具本体と光源ユニットからなる照明器具に無線制御機能を導入する場合、光源ユニットに搭載される電源ユニットからの給電により無線ユニットは駆動する。照明器具の仕様によっては電源ユニットを複数搭載し、同様に無線ユニットも複数搭載する。また各無線ユニットが制御装置との通信により照明器具の制御を行う場合、設置環境や無線ユニットの特性のバラつき、器具本体との組合せ等の影響を受けて、各無線ユニットが別々の動作をしてしまうなどの誤動作が生じる。
【０００５】
また、無線ユニットを複数搭載する場合、その数に応じて照明器具に取付構造を設ける必要があるため、部品の加工や無線ユニット取付けに関わる作業が増大する。
【０００６】
この発明は、各無線ユニットに誤動作が生じることを防止することを目的とする。
【課題を解決するための手段】
【０００７】
この発明の照明装置は、
フレームと、
制御を受け、前記制御に応じて動作する制御動作機器と、
ケースを有し、前記ケースによって前記フレームに取り付けられ、第１の制御信号を受信し、受信した第１の制御信号に基づく第２の制御信号を出力する親機と、
前記親機の前記ケースとは異なる固有のケースを有し、前記ケースによって前記フレームと前記親機の前記ケースとのいずれかに取り付けられており、前記親機の出力する前記第２の制御信号が入力され、前記第２の制御信号に基づいて前記制御動作機器を制御する子機と
を備えることを特徴とする。
【発明の効果】
【０００８】
本発明によれば、制御装置と無線ユニットの通信は親機が一括して行うため、設置環境等に影響を受けることなく、複数の無線ユニットの動作を統一することができる。
【図面の簡単な説明】
【０００９】
【図１】実施の形態１の図で、無線制御システムの概略図。
【図２】実施の形態１の図で、照明器具の斜視図。
【図３】実施の形態１の図で、照明器具を器具本体と光源ユニットとに分けた分解斜視図。
【図４】実施の形態１の図で、フレームへのカバーの取付を説明するための図。
【図５】実施の形態１の図で、子機が親機に取り付けられる場合の斜視図。
【図６】実施の形態１の図で、天井直付形の照明器具の半断面図。
【図７】実施の形態１の図で、天井埋込形の照明器具の半断面図。
【図８】実施の形態１の図で、光源ユニットを電源ユニット方向からみた平面図。
【図９】実施の形態１の図で、親機の取り付けを示す光源ユニット３００の断面図。
【図１０】実施の形態１の図で、子機の連結方法を変更した斜視図。
【図１１】実施の形態１の図で、親機の構成を変更した概略図で図１に対応する図。
【発明を実施するための形態】
【００１０】
実施の形態１．
実施の形態１の照明装置１００は、制御装置４１０と通信するのは親機３３０のみである点が特徴である。また、親機３３０、子機３４０はいずれもケースでパッケージングされており、照明装置１００の仕様にあわせて、容易に子機３４０を照明装置１００に増設できる点が特徴である。
以下図面を参照して説明する。
図１は、無線制御システム４００の概略図である。
図２は、照明装置１００（照明器具とも呼ばれる）の斜視図である。
図３は、照明装置１００を器具本体２００と光源ユニット３００とに分けた分解斜視図である。
図４は、フレーム３１０へのカバー３２０の取付を説明するための図である。
図４では、フレーム３１０には電源ユニット３５０，３６０と、光源ユニット着脱機構３０１Ａ，３０１Ｂの構成部品等を示しており他の部品は省略している。
【００１１】
＜＊＊＊構成の説明＊＊＊＞
図１に示すように、無線制御システム４００は、照明装置１００の外部に位置する制御装置４１０と、照明装置１００の内部に配置された無線ユニット４２０から構成される。無線ユニット４２０は、無線ユニット親機３３０と無線ユニット子機３４０とを備える。以下、無線ユニット親機３３０は親機３３０と記し、無線ユニット子機３４０は子機３４０と記す。図１では、制御装置４１０と親機３３０とを結ぶ破線、親機３３０と子機３４０とを結ぶ破線は、無線通信を示す。親機３３０は、制御装置４１０および子機３４０と無線通信が可能である。後述のように親機３３０は第１の制御信号Ｓ１に基づき電源ユニット３５０を制御する。子機３４０は、制御装置４１０との通信機能は持たない。後述のように子機３４０は第２の制御信号Ｓ２に基づき電源ユニット３６０を制御する。
【００１２】
無線ユニット４２０では、親機３３０のみが照明装置１００の外部に位置する制御装置４１０と無線通信を行い、親機３３０自身及び子機３４０により、電源ユニット３５０、電源ユニット３６０を制御する。制御には調光や消灯があるが、その他の機能を制御するものでもよい。親機３３０のみが制御装置４１０と通信するため、制御装置４１０との通信による制御動作を統一することができる。
【００１３】
図１を参照して、制御装置４１０が送信する第１の制御信号Ｓ１の流れを説明する。制御装置４１０が送信する制御信号を第１の制御信号Ｓ１と記し、第１の制御信号Ｓ１を受信した親機３３０が無線送信する制御信号を第２の制御信号Ｓ２と記す。
子機が複数ある場合でも親機３３０が無線送信する信号は第２の制御信号Ｓ２である。
（１）制御装置４１０は、第１の制御信号Ｓ１を無線送信する。第１の制御信号Ｓ１の持つ制御情報は、親機３３０、子機３４０を識別する識別情報であるアドレスと、制御内容を指示する制御データとを含む。この例では、第１の制御信号Ｓ１は、親機の制御情報として「親機アドレス、親機に対する調光度の指示」及び子機の制御情報として「子機アドレス、子機に対する調光度の指示」を含むとする。なお、第１の制御信号Ｓ１に含める制御情報は、親機と子機とに対してどのような情報の組み合わせでもよい。上記の例では親機、子機の両方を含めているが一方の制御情報だけでもよい。また、親機と複数の子機とがある場合において第１の制御信号Ｓ１に親機の制御情報を含める場合には、親機の制御情報のみを含めてもよいし、親機と少なくとも１台の子機の制御情報を含めてもよい。親機の制御情報を含めない場合は、少なくとも１台の子機の制御情報を含めてもよい。
（２）親機３３０は、制御装置４１０から第１の制御信号Ｓ１を無線受信する。親機３３０は第１の制御信号Ｓ１に含まれる「親機アドレス、親機に対する調光度の指示」に従って、電源ユニット３５０へ電源ユニット制御信号Ｓ３５０を出力し、電源ユニット３５０を調光制御する。この例では「親機に対する調光度の指示」は「電源ユニット３５０を調光度７０％で調光」のような指示である。親機３３０は、第１の制御信号Ｓ１に含まれる「子機アドレス、子機に対する調光度の指示」に従って、その「子機アドレス」を持つ子機（この例では子機３４０）に、「子機に対する調光度」を指示する第２の制御信号Ｓ２を、無線送信により出力する。第２の制御信号Ｓ２は、「子機アドレス、子機に対する調光度の指示」を含む。「子機に対する調光度の指示」は「電源ユニット３６０を調光度５０％で調光」のような指示である。
（３）子機３４０は第２の制御信号Ｓ２に含まれる「子機アドレス」から、第２の制御信号Ｓ２が自分あてであることを知り、「子機に対する調光度の指示」に従って、電源ユニット３６０へ電源ユニット制御信号Ｓ３６０を出力し、電源ユニット３６０を調光制御する。
（４）なお第１の制御信号Ｓ１の子機の制御情報と、第２の制御信号Ｓ２とは同じ内容でもよい。つまり、親機３３０は第１の制御信号Ｓ１のうちの子機の制御情報を中継する構成でもよい。あるいは、親機３３０は第１の制御信号Ｓ１のうちの子機に関する制御情報を修正して、第２の制御信号Ｓ２として出力してもよい。
（５）なお図１では親機３３０は一台であるが上記でも述べたように、複数台の子機の設置が可能である（後述の図１１）。
（６）なお電力は、商用電源である外部電源５００から、器具本体２００に配置された電源端子台２１０を介し、電源ユニット３５０、電源ユニット３６０に供給される。親機３３０、子機３４０はそれぞれ電源ユニット３５０、電源ユニット３６０から供給される電力で動作する。
【００１４】
次に照明装置１００の構造を説明する。図３、図４に示すように、照明装置１００は、器具本体２００、光源ユニット３００及び無線ユニット４２０を備えている。図３のように、光源ユニット３００は、フレーム３１０、透光性を有するカバー３２０、無線ユニット４２０を構成する親機３３０と子機３４０、電源ユニット３５０、３６０を備えている。また光源ユニット３００は、図２のように、４つのＬＥＤ光源３７０を備えている。後述する図９のように、一つのＬＥＤ光源３７０は複数のＬＥＤ３７１と、基板３７２とを備えている。電源ユニット３５０、３６０は、外部電源５００の供給する交流電力を直流電力に変換し、ＬＥＤ光源３７０に供給してＬＥＤ光源３７０を点灯する点灯装置である。電源ユニット３５０、３６０は、親機３３０あるいは子機３４０によって動作を制御される制御動作機器９３０１である。
【００１５】
図４に示すように、フレーム３１０は四角形状（図４のａｂｃｄの内部）の平らな板状の取付部３１３を有する。図３に示すように、取付部３１３には親機３３０が取り付けられる。
【００１６】
この実施の形態では、後述する図５のように、子機３４０を子機３４０に取り付けることを想定しているが、これに限らず、子機３４０も取付部３１３に取り付けられてもよい。図３、後述の図８では子機３４０が取付部３１３に取り付けられる場合を示している。
【００１７】
図５は、子機３４０が親機３３０に取り付けられる場合の斜視図である。親機３３０は、ケース３３１を有し、ケース３３１によってフレーム３１０の取付部３１３に取り付けられている。図５に示すように、ケース３３１には親機側固定部３３５−１、３３５−２が形成されている。図５では親機側固定部３３５−２は隠れているが形状は親機側固定部３３５−１と同じである。親機側固定部３３５−１、３３５−２は、ネジ１１によって、取付部３１３に形成されたフレーム側親機固定部３１２−１、３１２−２に固定される。
【００１８】
子機３４０は、親機３３０のケース３３１とは異なる固有のケース３４１を有している。親機３３０のケース３３１は親機側取付部３３２を有しており、子機３４０のケース３４１は子機側取付部３４２を有している。親機側取付部３３２と子機側取付部３４２とが嵌合し係合することで、子機３４０のケース３４１が親機３３０のケース３３１に連結され取り付けられる。図５の場合、二点鎖線で示すように子機３４０は親機３３０と横並びになる。
【００１９】
また、子機３４０のケース３３１には連鎖取付部３４３が設けられている。連鎖取付部３４３とは、別の子機３４０の子機側取付部３４２と係合し、別の子機３４０のケース３４１を取り付ける部位である。連鎖取付部３４３は別の子機３４０のケース３４１の子機側取付部３４２と係合するので、連鎖取付部３４３の構造は親機側取付部３３２と同じである。連鎖取付部３４３によって、２台目の子機３４０、３台目の子機というように、子機を連鎖的に連結することが可能である。そのため、光源ユニット３００に親機３３０の取付構造であるフレーム側親機固定部３１２を設けるだけで、子機３４０を増設することができる。よって、様々な形態の照明装置１００に対応することができる。つまり複数の子機を取り付け、子機ごとに照明装置１００を制御することができるので、多様な制御が可能となる。また親機３３０のみをフレーム３１０に取り付ける場合は、親機３３０の取付構造のみをフレーム３１０に形成すればよいので、無線ユニット４２０のための取付構造を最小限にすることができる。このため、照明装置１００の構造設計を容易化できる。
【００２０】
図６は、天井直付形の照明装置１００の半断面図を示し、図７は、天井埋込形の照明装置１００の半断面図を示す。図８は、光源ユニット３００の平面図を示す。なお、図８は子機３４０が取付部３１３に取り付けられる場合を示している。子機３４０の取付部３１３への取付構造は、親機３３０と同じであるので説明は省略する。つまり、子機３４０が取付部３１３取り付けられる場合は、取付部３１３はフレーム側親機固定部３１２に相当する部位を有し、子機３４０のケース３４１は親機側固定部３３５に相当する部位を有し、これらがネジで締結される。
【００２１】
光源ユニット３００は様々な形状の器具本体２００と組み合わせて使用される。図６の天井直付形の照明装置１００の場合は、光源ユニット３００は天井１２から露出した状態で据え付けられる。また、図７の天井埋込形の照明装置１００の場合は、天井１２より奥まった状態で据え付けられる。したがって、制御装置４１０と親機３３０との無線通信に影響を与える天井１２や器具本体２００による影響を少なくするため、親機３３０は、照明装置１００の側面部（図６、図７）や、天井１２（天井埋込形の場合）から可能な限り離れた位置となる光源ユニット３００の中央部３１４に配置することが望ましい。
【００２２】
図８では、器具本体２００と着脱するための光源ユニット着脱機構３０１Ａ，３０１Ｂが、取付部３１３に配置される領域を破線で示している。無線ユニット４２０（親機３３０、子機３４０）は、光源ユニット着脱機構３０１Ａ，３０１Ｂの配置される領域を考慮し、光源ユニット着脱機構３０１Ａ，３０１Ｂによる器具本体２００との着脱作業に影響しない位置に配置する。つまり、無線ユニット４２０は、取付部３１３の中央部３１４に配置することで、従来の光源ユニット３００と同等の施工性、つまり、光源ユニット３００の器具本体２００への従来同様の取付性を実現できる。
【００２３】
図９は、親機３３０の取り付けを示す光源ユニット３００の断面図である。親機３３０は、制御装置４１０との無線通信用の送受信を行うアンテナ３３３を備えている。アンテナ３３３を取付部３１３に設けられたスリット３１１から露出させることで、制御装置４１０と親機３３０との無線通信による性能を高めることができる。スリットは基板３７２と別の基板３７２との間に形成されているがその箇所を図２に示した。なお、取付部３１３にスリット３１１のような開口部を設けると、虫や異物の侵入のおそれも考えられる。そこで、本実施の形態ではＬＥＤ光源３７０の光を反射させる反射シート３８０を介在させる。つまり図９に示すように、取付部３１３の一方の面である電源ユニット取付面３１３ａに親機３３０が取り付けられており、電源ユニット取付面３１３ａの裏面３１３ｂにＬＥＤ光源３７０が配置されている。基板３７２と裏面３１３ｂとの間に反射シート３８０を配置する。反射シート３８０で光源ユニット３００のＬＥＤ光源３７０側の密閉性を保つことができる。
【００２４】
４つのＬＥＤ光源３７０は、それぞれ長方形であり、４つで全体として、図２、図８に示すように、一つの長方形の形状をなしている。図８に示すように、反射シート３８０はスリット３１１を覆う形状であればよい。
【００２５】
また、スリット３１１による開口はアンテナ３３３の水平断面よりも若干小さい面積とする。つまり、アンテナ３３３の水平断面の面積をスリット３１１の開口面積と同等以上とし、アンテナ３３３をスリット３１１による開口部に圧入して開口部を塞ぐ。これにより、アンテナ３３３で光源ユニット３００の密閉性を保つことも可能である。なお、アンテナ３３３を有する親機３３０は取付部３１３の中央部３１４に配置されており、中央部３１４は光が最も補い合う位置であるため、ＬＥＤ光の遮蔽は最小限にすることができる。
【００２６】
＜変形例＞
図１０は、子機３４０の連結方法を変更した斜視図である。図５では子機３４０は水平方向に増設可能であった。子機３４０は親機３３０の側面以外にも連結可能とし、光源ユニット３００や組合わされる器具本体２００の構造により、子機３４０の連結方向を変えることができる。図１０は上方向に子機３４０を増設する構成である。二点鎖線が連結後の子機３４０を示す。なお図１０には示していないが子機３４０の下面には図５に示す子機側取付部３４２が形成されている。
【００２７】
また図１では、親機３３０と子機３４０との間は無線通信の場合を説明したが、通信ケーブル３３４で接続する有線通信でもよい。
【００２８】
また図１１は、親機３３０の構成を変更した概略図である。親機３３０は制御装置４１０および子機３４０−１，３４０−２との通信機能のみとし、電源ユニット３５０，３６０の制御は子機３４０が行う。図１１では子機３４０−２が図１の親機３３０の制御機能を有する。図１では親機３３０自身も電源ユニットを制御したが、図１１のように親機３３０は制御を行わない構成でもよい。
【００２９】
以上の実施の形態では、制御を受けてこの制御に応じて動作する制御動作機器９３０１として電源ユニット３５０、電源ユニット３６０を説明したが、制御動作機器９３０１は電源ユニットには限られない。制御装置４１０からの第１の制御信号Ｓ１により、子機３４０あるいは親機３３０を介して制御を受け、この制御に応じて動作する機器であればどのような機器でもよい。
【符号の説明】
【００３０】
Ｓ１  第１の制御信号、Ｓ２  第２の制御信号、１１  ネジ、１２  天井、１００  照明装置、２００  器具本体、２１０  電源端子台、３００  光源ユニット、３０１Ａ，３０１Ｂ  光源ユニット着脱機構、３１０  フレーム、３１１  スリット、３１２−１，３１２−２  フレーム側親機固定部、３１３  取付部、３１３ａ  電源ユニット取付面、３１３ｂ  裏面、３１４  中央部、３２０  カバー、３３０  親機、３３１  ケース、３３２  親機側取付部、３３３  アンテナ、３３４  通信ケーブル、３３５  親機側固定部、３４０  子機、３４１  ケース、３４２  子機側取付部、３４３  連鎖取付部、３５０  電源ユニット、３６０  電源ユニット、３７０  ＬＥＤ光源、３７１  ＬＥＤ、３７２  基板、３８０  反射シート、４００  無線制御システム、４１０  制御装置、４２０  無線ユニット、５００  外部電源、９３０１  制御動作機器。
【図１】
0006667315.tif 000002
【図２】
0006667315.tif 000003
【図３】
0006667315.tif 000004
【図４】
0006667315.tif 000005
【図５】
0006667315.tif 000006
【図６】
0006667315.tif 000007
【図７】
0006667315.tif 000008
【図８】
0006667315.tif 000009
【図９】
0006667315.tif 000010
【図１０】
0006667315.tif 000011
【図１１】
0006667315.tif 000012